(57)【要約】【課題】  洗浄槽の大小を選択することができ、洗浄槽の結合部に水が溜まらないようにした食器洗浄機を提供する。【解決手段】  食器類を洗浄する洗浄槽と、この洗浄槽の内部に設けられ洗浄水を前記食器類に向け噴射する噴射ノズルと、を備え、洗浄槽は、上枠体と、この上枠体に上端部が結合され下端部に外方に向けて屈曲したＵ字状部２２ａを有する中枠体２２と、上端の周縁部に中枠体２２のＵ字状部２２ａを受ける受け部２３ｆとＵ字状部２２ａの先端部を係合する係合部２３ｅとを設けた立ち上がり部２３ａを有する底体２３と、を備え、底体２３の受け部２３ｆに複数の水回収部２３ｂを備える。【選択図】図５
2005334360.tif 000002
【特許請求の範囲】
【請求項１】
食器類を洗浄する洗浄槽と、
この洗浄槽の内部に設けられ洗浄水を前記食器類に向け噴射する噴射ノズルと、
を備え、
前記洗浄槽は、
上枠体と、
この上枠体に上端部が結合され下端部に外方に向けて屈曲したＵ字状部を有する中枠体と、
上端の周縁部に前記中枠体の前記Ｕ字状部を受ける受け部と前記Ｕ字状部の先端部を係合する係合部とを設けた立ち上がり部を有する底体と、
を備え、
前記底体の前記受け部に複数の水回収部を備えたことを特徴とする食器洗浄機。
【請求項２】
立ち上がり部は、底体の周縁から外方に段差部を設けて立ち上がるように形成され、受け部は前記段差部とこの段差部の内側に形成されたリブからなり、水回収部を前記段差部とリブに傾斜して設けた切り欠き形状としたこと特徴とする請求項１記載の食器洗浄機。
【発明の詳細な説明】
【技術分野】
【０００１】
この発明は、洗浄水の噴射により食器などの洗浄を行う食器洗浄機に関し、特に洗浄槽の構造を改良した食器洗浄機に関する。
【背景技術】
【０００２】
従来の食器洗浄機は、食器類を収容する洗浄槽を、樹脂製の底部構成部材と、この底部構成部材上に設けた金属製の洗浄槽本体とで構成し、底部構成部材は、その周縁に上方への立ち上がり部を一体構成するととももに、この立ち上がり部の内方に受け部を形成し、洗浄槽本体は、その下端に外方に向け屈曲したＵ字状部を形成し、このＵ字状部を前記受け部に上方から挿着する構成とし、前記立ち上がり部の内面には、前記Ｕ字状部にそれ自身の弾性にて係合する係合部を形成している（例えば、特許文献１参照）。
【０００３】
【特許文献１】特許第３１０９５１１号公報（段落００１２〜００２２、図１、図２）
【発明の開示】
【発明が解決しようとする課題】
【０００４】
従来の食器洗浄機は、洗浄槽を、樹脂製の底部構成部材と、この底部構成部材上に設けた金属製の洗浄槽本体とで構成し、製品の全体構成を簡略化しているが、洗浄槽本体と底部構成部材の結合部の立ち上がり部の内方の受け部に水が溜まり、水が腐敗し悪臭が発生するという問題があった。
【０００５】
この発明は、上記の課題を解決するためになされたもので、洗浄槽の大小を選択することができ、洗浄槽の結合部に水が溜まらないようにした食器洗浄機を提供することを目的とする。
【課題を解決するための手段】
【０００６】
この発明の食器洗浄機は、食器類を洗浄する洗浄槽と、この洗浄槽の内部に設けられ洗浄水を前記食器類に向け噴射する噴射ノズルと、を備え、前記洗浄槽は、上枠体と、この上枠体に上端部が結合され下端部に外方に向けて屈曲したＵ字状部を有する中枠体と、上端の周縁部に前記中枠体の前記Ｕ字状部を受ける受け部と前記Ｕ字状部の先端部を係合する係合部とを設けた立ち上がり部を有する底体と、を備え、前記底体の前記受け部に複数の水回収部を備えたものである。
【発明の効果】
【０００７】
この発明によれば、洗浄槽は、上枠体と、この上枠体に上端部が結合され下端部に外方に向けて屈曲したＵ字状部を有する中枠体と、上端の周縁部に前記中枠体の前記Ｕ字状部を受ける受け部と前記Ｕ字状部の先端部を係合する係合部とを設けた立ち上がり部を有する底体と、を備え、前記底体の前記受け部に複数の水回収部を備えたので、洗浄槽の大小を選択することができ、洗浄槽の結合部に水が溜まらないようにすることができる。
【発明を実施するための最良の形態】
【０００８】
図１はこの発明に係わる実施の形態の引き出し式の食器洗浄機の断面図、図２は図１の部分拡大図、図３は洗浄槽の斜視図、図４は洗浄槽の底体の要部拡大斜視図、図５は洗浄槽の底体と中体の組み立てを示す要部断面図である。
【０００９】
図１において、食器洗浄機本体１に前後方向に移動可能に支持され上方に開口部を有する洗浄槽枠体２内部に設けられた洗浄槽３と、洗浄槽３の開口部を閉塞する蓋部４が設けられ、洗浄槽３の外側に、内部にヒーター６、下部に給湯ポンプ７を有する貯湯タンク５が設けられている。貯湯タンク５と給水弁１５の間に給水管１９が接続され、給湯管Ａ１８と給湯管Ｂ１７が給湯ポンプ７に接続されており、貯湯タンク５から洗浄槽３への給湯を行う連通部（図示せず）が設けられている。
【００１０】
さらに、洗浄槽３の下部に洗浄水を噴射する噴射ノズル８、副噴射ノズル９、洗浄した洗浄水を溜める湯溜め部１０、噴射ノズル８に洗浄水を送るとともに排水を行う噴射排水兼用ポンプ１１が設けられ、噴射排水兼用ポンプ１１と噴射ノズル８は送水管１２で、噴射排水兼用ポンプ１１と副噴射ノズル９は送水管１３で接続され、開口部にフィルター２０が設けられた湯溜め部１０と噴射排水兼用ポンプ１１は送水管１４で接続され、噴射排水兼用ポンプ１１に排水管１６が接続されている。
【００１１】
次に、洗浄槽３の構成を図２〜３により説明する。図３（ａ）は洗浄槽の斜視図、図３（ａ）は洗浄槽の分解斜視図である。
洗浄槽３は、上枠体２１と、底体２３と、上枠体２１と底体２３との間に結合された中枠体２２によって構成され、上枠体２１と底体２３はプラスチックで一体成形されており、中枠体２２はステンレスを使用している。
【００１２】
上枠体２１は、下面側に周縁に中枠体２２の上部が挿入され、シールパッキン２５とともに固定するための溝部２１ａが設けられており、中枠体２２は、内壁面が底体２３の内壁面と同一になるように形成され、下部に外方に向けて屈曲したＵ字状部２２ａが設けられている。
底体２３は有底筒状で、底部に湯溜め部１０、食器かご受部２３ｇ等が設けられ、上部の周縁部には、外方に向かう段差部２３ｄを設けた立ち上がり部２３ａが設けられている  立ち上がり部２３ａには、段差部２３ｄの内側に形成されたリブ２３ｃと段差部２３ｄで構成され中枠体２２のＵ字状部２２ａを受ける受け部２３ｆとＵ字状部２２ａの先端部を係合する凸状の係合部２３ｅが先端部内側に設けられている。さらに、受け部２３ｆに洗浄水が溜まらないように水を洗浄槽３内に回収する水回収部２３ｂが複数個設けられており、水回収部２３ｂは段差部２３ｄとリブ２３ｃに洗浄槽３内側方向に傾斜して設けた切り欠き形状のもである。
【００１３】
次に、洗浄槽３の組み立てについて、図１〜５により説明する。
まず、洗浄槽３の大きさに応じて定められた大きさの中枠体２２を選択し、中枠体２２のＵ字状部２２ａを底体２３の上部の周縁部の立ち上がり部２３ａの内面に沿って押し込むと、底体２３の受け部２３ｆにＵ字状部２２ａの頂部が当接するとともに、Ｕ字状部２２ａの先端部がＵ字状部２２ａの有する弾性により係合部２３ｅに係合して中枠体２２と底体２３が結合される。
次に、中枠体２２の上部を、上枠体２１の下面側の溝部２１ａに挿入し、シールパッキン２５でシールしてネジで固定する。この状態で、水回収部２３ｂは図１に示すように洗浄槽３の内面に露出している。
【００１４】
次に、食器洗浄機の動作を図１により説明する。まず、例えば、操作盤（図示せず）で電源ＯＮすると、給水弁１５が開き貯湯タンク５に給水管１９を介して水が供給される。設定された水位になると給水弁１５が閉じ水ヒーター６で加熱され、適正温度に到達するとヒーター６の通電が停止され、給湯管Ａ１７を介して給湯ポンプ７に湯が取り込まれ給湯管Ｂ１８、貯湯タンク５、貯湯タンク５と洗浄槽３との連通口（図示せず）を介して洗浄槽３へ給湯される。
【００１５】
次に、噴射排水兼用ポンプ１１により洗浄槽３に溜められた湯が湯溜め部１０から洗浄水として噴射ノズル８から食器類に噴射される。噴射された洗浄水は湯溜め部１０に集まり、また、噴射排水兼用ポンプ１１によって噴射ノズル８から食器類に向かって噴射する。このように洗浄水が循環しながら食器類が洗浄される。
洗浄がはじまると、並行して貯湯タンク５の給水弁１５が開き、貯湯タンク５に水が供給され設定水位になると給水弁２２が閉じてヒーター６によりすすぎに適した温度になるまで加熱される。
【００１６】
次に、洗浄が終了すると、噴射排水兼用ポンプ１１は噴射動作から排水の動作をはじめ、洗浄槽３内の洗浄水が排水される。排水が終了すると噴射排水兼用ポンプ１１は停止し、給湯ポンプ７を動作させて貯湯タンク５から洗浄槽３へ給湯される。そして、噴射排水兼用ポンプ１１により湯溜め部１０からすすぎ水として噴射ノズル８から食器類に向かって噴射される動作が繰り返され、すすぎが終了すると、噴射排水兼用ポンプ１１は噴射動作から排水の動作をはじめ、洗浄槽３内の洗浄水が排水される。
【００１７】
次に、図示してないが送風手段により、水の無い貯湯タンク５に外気を送り込み、ヒーター６で加熱して送風手段の圧力で加熱された空気を連通穴から洗浄槽３へと送り、食器類の乾燥を行なう。この乾燥により、洗浄槽の内部も乾燥され、中枠体２２と底体２３が結合部においては、底体２３の水回収部２３ｂからも入り込み、底体２３の受け部２３ｆと中枠体２２のＵ字状部２２ａ等を乾燥させる。
【００１８】
以上のように、中枠２２の大きさを変えることにより洗浄槽３の大小を選択することができ、また、洗浄槽の結合部に入った水は、回収口２３ｂから洗浄槽３に回収されるとともに、洗浄の乾燥工程で加熱空気が回収口２３ｂから入り込み乾燥させることができ、水が溜まらず水の腐敗による悪臭を防ぐことができる。
また、水回収部１３ｂを段差部２３ｄとリブ２３に傾斜して設けた切り欠き形状にしたので、成形をし易くすることができる。
また、底体２３に食器かご受け部を一体に設けたので部品点数を減らすことができる。
なお、実施の形態では引き出し式の食器洗浄機を示したが、縦型の食器洗浄機でも同様な効果を得ることができる。
【図面の簡単な説明】
【００１９】
【図１】はこの発明に係わる実施の形態の食器洗浄機の断面図である。
【図２】図１の部分拡大図である。
【図３】はこの発明に係わる実施の形態の食器洗浄機の洗浄槽の斜視図である。
【図４】はこの発明に係わる実施の形態の食器洗浄機の底体の要部拡大斜視図である。
【図５】はこの発明に係わる実施の形態の食器洗浄機の洗浄槽の底体と中体の組み立てを示す部分断面図である。
【符号の説明】
【００２０】
１  食器洗浄機本体、２  洗浄槽枠体、３  洗浄槽、４  蓋部、８  噴射ノズル、２１  上枠体、２２  中枠体、２２ａ  Ｕ字状部、２３  底体、２３ａ  立ち上がり部、２３ａ  立ち上がり部、２３ｂ  水回収部、２３ｃ  リブ、２３ｄ  段差部、２３ｅ  係合部、２３ｆ  受け部。
【図１】
2005334360.tif 000003
【図２】
2005334360.tif 000004
【図３】
2005334360.tif 000005
【図４】
2005334360.tif 000006
【図５】
2005334360.tif 000007